(57)【要約】【課題】ロール紙のセットに係る作業性を向上できる簡素な構成の車載用情報機器を提供する。【解決手段】タクシーメータ１は、本体ケース１０の前面１１に設けられた開口部１２を開閉するカバー６０に、前面１１より外側に張り出して内面側からロール紙５が挿入されるロール紙収容空間６１と、ロール紙収容空間６１の両側壁６１ａに互いに対向して配されたロール紙支持部６２と、カバー６０の下部に配されるとともに開口部１２の下縁近傍に軸支されて前記カバー６０を回動自在に前記本体ケース１０に取り付けるカバー軸部６４と、が設けられており、さらに、カバー６０の開口部１２を閉じる回動動作に連動して、移動機構４０がプラテンローラ３０を近接位置に移動させるように、カバー６０と支持部材４１とを連結する連結機構７０が設けられている。【選択図】図５
2010167731.tif 000002
【特許請求の範囲】
【請求項１】
（ａ）前面に開口部が設けられた箱状のケースと、（ｂ）前記ケースの内部に前記開口部と相対して配されたプリンタユニットと、（ｃ）前記ケースの内部に前記プリンタユニットと相対して配されたプラテンローラと、（ｄ）前記プラテンローラを、前記プリンタユニットに近接した近接位置及び前記近接位置より前記プリンタユニットから離れた離間位置に亘って移動させる移動機構と、（ｅ）前記開口部を開閉するカバーと、を有し、前記プリンタユニットと前記プラテンローラとの間にロール紙を挟み、前記プラテンローラを回転させて前記ロール紙を移動させつつ前記プリンタユニットによって前記ロール紙に画像記録を形成する車載用情報機器において、
前記カバーには、
前記ケースの前面より外側に張り出すとともに前記開口部と相対する内面側からロール紙が挿入されるロール紙収容空間と、
前記ロール紙収容空間内で前記ロール紙の芯を回転可能に支持するロール紙支持部と、
前記カバーの下部に配されるとともに前記開口部の下縁近傍に軸支されて前記カバーを回動可能に前記ケースに取り付けるカバー軸部と、が設けられ、そして、
前記カバーの前記開口部を閉じる回動動作に連動して前記移動機構が前記プラテンローラを前記近接位置に移動させるように、前記カバーと前記移動機構とを連結する連結機構が設けられている
ことを特徴とする車載用情報機器。
【発明の詳細な説明】
【技術分野】
【０００１】
本発明は、例えば、タクシーメータやデジタルタコメータなど、車両の走行情報を収集する車載用情報機器に関し、特に、ロール状に巻かれた記録紙であるロール紙に画像記録を形成する機能を備えた車載用情報機器に関するものである。
【背景技術】
【０００２】
例えば、タクシーに搭載される車載用情報機器としてのタクシーメータには、運行情報の出力や領収書の発行など（即ち、画像記録の形成）を行うための機能が備えられている。このようなタクシーメータは、ダッシュボードなどの車両内の限られた空間に設置されることから小型化の要請があり、そして、小型化のために、簡易な構造で給紙でき且つコンパクトなロール紙が記録紙として用いられている。また、このようなタクシーメータなどの車載用情報機器は、一般的に、ロール紙の交換などの操作が乗員と相対する前面からしか行えないという制約がある。
【０００３】
図９に、特許文献１に提案されている従来の車載用情報機器であるタコグラフ（図中、符号２０１で示す）を示す。同図に示すタコグラフ２０１は、乗員と相対する前面２０３に開口部２２４が設けられた箱状のケース本体２０２と、開口部２２４を通されてこのケース本体２０２に出し入れ自在に形成された引き出し型ケース２２８と、引き出し型ケース２２８内に設けられたロール紙取り付け部２３１と、プラテンローラ２３５と、このプラテンローラ２３５を回転させる回転機構２３６と、ケース本体２０２に取り付けられ、引き出し型ケース２２８がケース本体２０２に収容された状態でプラテンローラ２３５と相対する印字ヘッド２３０と、を有している。また、図９中の符号２３３はロール紙２３２を巻き付けるコア（芯）であり、符号２３７は、回転機構２３６を構成するモータであり、符号２３９はプラテンローラ２３５を構成する軸心であり、符号２２９は印字ヘッド２３０を構成する発熱体である。
【０００４】
上記タコグラフ２０１にロール紙２３２をセットするには、ケース本体２０２から引き出し型ケース２２８を引き出し、引き出し型ケース２２８の上部からロール紙取り付け部２３１にロール紙２３２を装填する。そして、ロール紙２３２の始端部分２３８を手前側（乗員室側）に引き出したのち、引き出し型ケース２２８をケース本体２０２の奥側に収容する。この状態で、ロール紙２３２の始端部分２３８は、開口部２２４の上縁部と引き出し型ケース２２８との間に形成される隙間からケース本体２０２外に位置づけられている。こうしてタコグラフ２０１にロール紙２３２をセットする。
【０００５】
しかしながら、上述したタコグラフ２０１は、引き出し型ケース２２８やこの引き出し型ケース２２８を支持するレール（不図示）などを設ける分、部品点数が増加して複雑な構成となりコストが高くなるという問題があった。また、引き出し型ケース２２８がケース本体２０２から引き出された状態で上下からの衝撃が加わると破損しやすいという問題があった。そして、これらの問題を解決する他の車載用情報機器が特許文献２に提案されている。
【０００６】
図１０に、特許文献２に提案されている車載用情報機器であるタクシーメータ（図中、符号３０２で示す）を示す。同図に示すタクシーメータ３０２は、箱状に形成されたケース３０６と、印字ヘッド３２２を備えたプリンタユニットとしてのプリンタ本体３２０と、プラテンローラ３７０と、移動機構３１５と、を備えている。
【０００７】
ケース３０６には、その前面に開口部３０４が設けられているとともに、開口部３０４近傍にはロール紙収容空間３０５が設けられている。上記プリンタ本体３２０は、ロール紙収容空間３０５の奥に配置されている。移動機構３１５は、支持部材３３０と、維持部材３４０と、を備えている。支持部材３３０は、一対のアーム状に構成されて、そのアームの一端がケース３０６の上側に位置する壁部の内面に回動可能に支持され、他端にはプラテンローラ３７０が回転可能に取り付けられている。つまり、支持部材３３０は、アームの一端を軸として、アームの他端をスイング移動可能に設けられており、そのため、プラテンローラ３７０をプリンタ本体３２０に近づけたり離したり（即ち接離）することができる。維持部材３４０は、プラテンローラ３７０がプリンタ本体３２０に近接した状態を維持するように支持部材３３０を保持する。
【０００８】
上記タクシーメータ３０２にロール紙をセットするには、まず、図示しないカバーを開き、移動機構３１５の維持部材３４０による支持部材３３０の保持を解除して、プラテンローラ３７０をプリンタ本体３２０から離れた位置に移動させて、プラテンローラ３７０とプリンタ本体３２０との間隔を広げる。次に、ロール紙の始端部分をプラテンローラ３７０とプリンタ本体３２０との間に通したのち、支持部材３３０をケース３０６の奥に向かって手で押し込んで、プラテンローラ３７０をプリンタ本体３２０に近接した位置に移動させて、維持部材３４０によって支持部材３３０を保持させる。これにより、プラテンローラ３７０がプリンタ本体３２０に近接した状態となり、プラテンローラ３７０とプリンタ本体３２０との間にロール紙の始端部分が狭持される。それから、ロール紙を、開口部３０４に挿入しロール紙収容空間３０５に装填して、カバーを閉じる。
【０００９】
このように、上述したタクシーメータ３０２によれば、その構成部品を外部に引き出すことなくロール紙をセットできるので、簡素な構成となって、コストを低く抑えることができるとともに破損しにくくすることができた。また、プラテンローラ３７０とプリンタ本体３２０との間隔を広げることにより容易にロール紙をセットできた。
【先行技術文献】
【特許文献】
【００１０】
【特許文献１】特開２００１−２２９４２２号公報
【特許文献２】特開２００８−２４６７２７号公報
【発明の概要】
【発明が解決しようとする課題】
【００１１】
しかしながら、上述したタクシーメータ３０２は、ケース３０６内に設けられたロール紙収容空間３０５の奥にプリンタ本体３２０が配置されているので、プリンタ本体３２０とプラテンローラ３７０とを目視しにくく、また、それらに手が届きにくく、移動機構３１５によってプリンタ本体３２０とプラテンローラ３７０との間隔を広げたとしても、例えば、不慣れな作業者などにおいては、それら間にロール紙の始端部分を通すことが容易ではなかった。また、プラテンローラ３７０とプリンタ本体３２０との間を広げて、それら間にロール紙の始端部分を通したのち、手動でプラテンローラ３７０をプリンタ本体に近接した位置に移動させるという作業工程が必要であり作業が繁雑だった。また、一般的に、タクシーメータ３０２は乗員の視点より低い位置に取り付けられているので、ロール紙収容空間３０５にロール紙を装填するときは、開口部３０４をのぞき込むようにして身をかがめて作業を行う必要があった。このように、タクシーメータ３０２においては、ロール紙をセットする作業が難しく且つ繁雑であり、即ち、作業性が悪いという問題があった。
【００１２】
本発明は、上記課題に係る問題を解決することを目的としている。即ち、本発明は、ロール紙のセットに係る作業性を向上できる簡素な構成の車載用情報機器を提供することを目的としている。
【課題を解決するための手段】
【００１３】
請求項１に記載された発明は、上記目的を達成するために、（ａ）前面に開口部が設けられた箱状のケースと、（ｂ）前記ケースの内部に前記開口部と相対して配されたプリンタユニットと、（ｃ）前記ケースの内部に前記プリンタユニットと相対して配されたプラテンローラと、（ｄ）前記プラテンローラを、前記プリンタユニットに近接した近接位置及び前記近接位置より前記プリンタユニットから離れた離間位置に亘って移動させる移動機構と、（ｅ）前記開口部を開閉するカバーと、を有し、前記プリンタユニットと前記プラテンローラとの間にロール紙を挟み、前記プラテンローラを回転させて前記ロール紙を移動させつつ前記プリンタユニットによって前記ロール紙に画像記録を形成する車載用情報機器において、前記カバーには、前記ケースの前面より外側に張り出すとともに前記開口部と相対する内面側からロール紙が挿入されるロール紙収容空間と、前記ロール紙収容空間内に前記ロール紙の芯を回転可能に支持するロール紙支持部と、前記カバーの下部に配されるとともに前記開口部の下縁近傍に軸支されて前記カバーを回動可能に前記ケースに取り付けるカバー軸部と、が設けられ、そして、前記カバーの前記開口部を閉じる回動動作に連動して、前記移動機構が前記プラテンローラを前記近接位置に移動させるように、前記カバーと前記移動機構とを連結する連結機構が設けられていることを特徴とする車載用情報機器である。
【発明の効果】
【００１４】
請求項１に記載された発明によれば、ケースの前面に設けられた開口部を開閉するカバーに、前記ケースの前面より外側に張り出すとともに前記開口部と相対する内面側からロール紙が挿入されるロール紙収容空間と、前記ロール紙収容空間内に前記ロール紙の芯を回転可能に支持するロール紙支持部と、前記カバーの下部に配されるとともに前記開口部の下縁近傍に軸支されて前記カバーを回動可能に前記ケースに取り付けるカバー軸部と、が設けられているので、ロール紙を収容するための収容空間をケースの内部に設ける必要がなく、その分プリンタユニット及びプラテンローラを開口部近傍に配置することができ、そのため、プリンタユニットとプラテンローラとの間により容易にロール紙を通すことができ、作業性を向上できる。また、カバー軸部を中心に開口部を開くようにカバーを回動させたときにカバーの内面が上方を向き、そのため、ロール紙収容空間が上方を向いて、そこに落とし込むようにしてロール紙を挿入することができ、身をかがめて開口部をのぞき込むことなくロール紙収容空間に容易にロール紙を装填でき、作業性を向上できる。
【００１５】
また、前記カバーの前記開口部を閉じる回動動作に連動して、前記移動機構が前記プラテンローラを前記近接位置に移動させるように、前記カバーと前記移動機構とを連結する連結機構が設けられているので、この連結機構によって、カバーを回動させて開口部を閉じるのと同時に、プラテンローラを近接位置に移動させてプラテンローラとプリンタユニットとの間隔を狭めてロール紙を狭持させることができ、そのため、ロール紙のセット作業において、手作業などによりプラテンローラをプリンタユニットに近接させる作業工程を省略でき、作業性を向上できる。また、車載用情報機器の構成部品を外部に引き出すことなくロール紙をセットできるので、簡素な構成となりコストを低く抑えることができるとともに、破損しにくくすることができる。
【図面の簡単な説明】
【００１６】
【図１】本発明の一実施形態に係るタクシーメータの正面図である。
【図２】図１のタクシーメータの側面図である。
【図３】図１のタクシーメータにおいて開口部が開いた状態の正面図である。
【図４】図３のタクシーメータの側面図である。
【図５】図３のＸ−Ｘ線に沿う断面図である。
【図６】ロール紙収容空間にロール紙が収容された状態を示す断面図である。
【図７】カバーが開口部に近づけられる途中の状態を示す断面図である。
【図８】開口部が閉じた状態を示す断面図である。
【図９】従来の車載用情報機器を示す断面図である。
【図１０】従来の他の車載用情報機器を示す断面図である。
【発明を実施するための形態】
【００１７】
以下、本発明の一実施形態であるタクシーメータを、図１〜図８を参照して説明する。
【００１８】
タクシーメータ（図中、符号１で示す）は、タクシーの走行距離や走行時間等に基づいてタクシー料金を算出して、請求するタクシー料金を逐次表示するとともに、該タクシー料金や日付などの画像記録をロール紙（図中、符号５で示す）に印字（形成）する車載用情報機器である。このタクシーメータ１に用いられるロール紙５は、円筒状に形成されたコア６（即ち、芯）に帯状の紙部７が巻き付けられたものである。また、この紙部７のコア６から離れた側の端部を始端部分と呼び、符号８を付す。また、紙部７は、加熱された部分が発色する周知の感熱紙である。
【００１９】
タクシーメータ１は、各図に示されるように、本体ケース１０と、プリンタユニット２０と、プラテンローラ３０と、移動機構４０と、カバー６０と、連結機構７０と、を備えている。なお、本明細書において、「右」「左」「前」「奥」とは、乗員室側から見た方向を意味している。また、「奥」のことを「後」ともいう。さらに、「上」「下」とは、鉛直方向の上側下側を意味している。
【００２０】
本体ケース１０は、例えば、合成樹脂や板金などを用いて箱状に形成されており、その前面１１が乗務員室側を向くようにして車両のダッシュボードに取り付けられる。本体ケース１０は、ダッシュボードに取り付けられることから、その外形寸法が規格（例えば、ＤＩＮ規格など）にしたがって定められている。
【００２１】
本体ケース１０の前面１１の右半分には、本体ケース１０の外部と内部とを連通する矩形状の開口部１２が設けられている。また、本体ケース１０の前面１１の左半分には、タリフやタクシー料金等の表示を行う液晶ディスプレイ１４と各種操作に対応した複数の操作ボタン１５とからなる表示操作部１３と、外部機器と通信を行うためのケーブルが取り付けられる複数の通信用コネクタ１６、１７と、が設けられている。
【００２２】
本体ケース１０の前面１１の右端部の上方の位置には略長方体に切り欠かれた切り欠き部１０ａが設けられている。切り欠き部１０ａには、後述する解除レバー５５の突部５５ａが通される図示しないスリットが設けられている。このスリットは、突部５５ａ（即ち、解除レバー取り付け片５３）の移動軌道に沿って、切り欠き部１０ａの左側に位置する面１０ａ１に開口して設けられている。
【００２３】
開口部１２の下縁１２ａ近傍には、断面弧状のロール紙受壁１８が、弧の内側を上方に向けて開口部１２の左右方向に亘って設けられている。また、ロール紙受壁１８の開口部側端部１８ａは、開口部１２の下縁１２ａの上方に若干の隙間をあけて配設されている。この隙間は、ロール紙５の紙部７を本体ケース１０の内部から排出する排出口１９として機能する。また、開口部１２の左右の縁におけるロール紙受壁１８の開口部側端部１８ａと同じ高さの箇所には、後述するカバー６０に設けられたカバー軸部６４を回動可能に支持する一対のカバー軸受け部６９が、互いの間に開口部１２を挟んで対向して設けられている。本体ケース１０は、請求項中のケースに相当する。
【００２４】
プリンタユニット２０は、角柱状のケース２１と、このケース２１に収容された印字ヘッド２２と、ケース２１に収容されたモータ（図示なし）と、このモータに連結したギア（図示なし）と、このギアに噛み合って回転するとともにプラテンローラのギアに回転力を伝えるギア（図示なし）、等を有している。ケース２１は横断面が略Ｌ字状になるように、その全長に亘って切り欠き部２１ａが設けられている。また、ケース２１の左右に位置する両側面には略コ字状に形成された一対の側板２３が設けられている。
【００２５】
印字ヘッド２２は、ケース２１の全長に亘って設けられた発熱体（図示なし）を有している。この発熱体は、ケース２１の切り欠き部２１ａの内側に向けて露出して配設されている。そして、この発熱体がロール紙５に接触することにより上記画像記録が印字される。プリンタユニット２０は、長手方向が左右方向に沿い、その切り欠き部２１ａが開口部１２を向くようにして、本体ケース１０の上方の内面に開口部１２に相対して配される。
【００２６】
プラテンローラ３０は、軸心３１と、この軸心３１の外周に設けられゴム等で形成された円筒状のローラ部３２と、軸心３１を後述の支持部材４１に回転自在に取り付ける一対の軸受け３３と、軸心３１の一方の端部に取り付けられたギア（図示なし）と、を有している。上記軸心３１のギアには、上記プリンタユニット２０に設けられた複数のギアを介してモータの回転力が伝えられる。そして、このモータの回転力が伝えられることにより、軸心３１とローラ部３２とが回転する。また、一対の軸受け３３の一方（右側に位置する方）には、後述する維持部材５０に設けられた爪受け部５２と係合する爪部３４が設けられている。この爪部３４は、軸受け３３から開口部１２に向けて突出するとともに、上方から下方に向かうにしたがって後方から前方に向かうように傾斜された傾斜部３４ａが形成されている。
【００２７】
このようなプラテンローラ３０は、後述の移動機構４０によって、上記プリンタユニット２０の切り欠き部２１ａの内側で上記発熱体に近接した近接位置（図８に示す位置）と、上記プリンタユニット２０の切り欠き部２１ａの外側で上記発熱体から離れた離間位置（図５に示す位置）と、に亘って移動可能に配されている。この離間位置は、上記近接位置の鉛直方向下方に位置している。このように、プラテンローラ３０は、プリンタユニット２０と接離（即ち、近づいたり離れたり）可能に相対して配される。そして、前記近接位置において、ローラ部３２と発熱体との間にロール紙５の紙部７を挟むことにより、この紙部７に発熱体を接触させ、且つ、上記近接位置において、プラテンローラ３０のギアがプリンタユニット２０のギアと噛み合ってローラ部３２が軸心３１回りに回転することにより紙部７を移動させる。
【００２８】
移動機構４０は、プラテンローラ３０を上記近接位置と上記離間位置とに亘って移動させるためのものであり、支持部材４１と、移動規制部材４５と、維持部材５０と、解除レバー５５と、を有している。
【００２９】
支持部材４１は、プラテンローラ３０の全長と略同じ長さで、横断面が台形状に形成されており、該台形の互いに平行な片に対応するそれぞれの面が、前後方向に互いに向き合うようにして本体ケース１０内に配されている。支持部材４１の上方に位置する面４１ａには、その左右方向の両端部に対向するようにして、上述した一対の軸受け３３が取り付けられている。支持部材４１は、後述する移動規制部材４５によって、前後方向の移動が規制され且つ上下方向の移動を可能とされる。
【００３０】
移動規制部材４５は、本体ケース１０の下方に位置する壁の内側の面から上方に向けて立設され、且つ、前後方向に互いに支持部材４１の前後方向の幅の間隔をあけて対向して配された２つの片部４７、４８からなる規制部４６を２つ有し、これら２つの規制部４６が、プリンタユニット２０の下方で且つ開口部１２の左右の端部の位置に互いに対向して設けられている。これら規制部４６の各片部４７、４８の間のそれぞれには、支持部材４１の左右方向の両端部がそれぞれ位置づけられる。これにより、支持部材４１の前後方向の移動を規制するとともに、上下方向の移動を可能とする。
【００３１】
維持部材５０は、略Ｌ字状に形成された板金からなるロックレバー５１と、ねじりコイルばね（不図示）と、を有している。ロックレバー５１は、本体ケース１０のプリンタユニット２０の右側部近傍に位置する箇所に、Ｌ字の短辺側を開口部１２寄りにしてＬ字の長辺と短辺に囲われた部分を下方に向けて配されており、そのＬ字の長辺側の中央に設けられた軸部５１ａが、本体ケース１０に回動可能に支持されている。また、ロックレバー５１の短辺側の先端には、後方に向けて突出するとともに、下部５２ａが丸く形成された爪受け部５２が設けられている。
【００３２】
この爪受け部５２は、プラテンローラ３０が上記近接位置に移動されたときに、軸受け３３に設けられた爪部３４と係合する。これにより、支持部材４１が保持されて、プラテンローラ３０が上記近接位置に保たれる。ロックレバー５１の長辺と短辺とが連接される箇所には、右方向に突出した解除レバー取り付け片５３が設けられている。ねじりコイルばねは、そのコイル部分がロックレバー５１の軸部５１ａと同軸に配され、その一方の端部が本体ケース１０に固定され、その他方の端部がロックレバー５１に固定されて、ロックレバー５１を図５中反時計回りに付勢する。
【００３３】
爪受け部５２は、プリンタユニット２０とプラテンローラ３０とが互いに近づけられたときに、その下部５２ａが爪部３４の傾斜部３４ａと当接する。この状態からさらにプリンタユニット２０とプラテンローラ３０とが近づけられると、下部５２ａが傾斜部３４ａに乗り上げて、ロックレバー５１が時計回りに回動される。そして、プラテンローラ３０が近接位置に到達すると、爪受け部５２が爪部３４を乗り越えて互いに係合される。
【００３４】
解除レバー５５は、角柱状に形成されており、その長手方向中央部に該長手方向に直交する方向に突出した突部５５ａが設けられている。解除レバー５５の突部５５ａは、本体ケース１０の切り欠き部１０ａに設けられた図示しないスリットを通ってロックレバー５１に設けられた解除レバー取り付け片５３の先端に取り付けられている。解除レバー５５は、その長手方向を上下方向に沿うようにして、本体ケース１０の切り欠き部１０ａ内に配設されている。解除レバー５５は、前方上方に引き上げられることにより、ロックレバー５１が図５中時計回りに回動される。
【００３５】
カバー６０は、ロール紙収容空間６１と、ロール紙支持部６２と、カバー軸部６４と、を有している。カバー６０は、合成樹脂などを用いて、その正面投影形状が、開口部１２から排出口１９を除いた形状と略同じになるように形成されている。カバー６０は、開口部１２を開閉する。
【００３６】
ロール紙収容空間６１は、本体ケース１０の前面１１より外側に略半円柱状に突出して設けられている。また、ロール紙収容空間６１は、その内部が開口部１２に相対する側から外部と連通されている。即ち、ロール紙収容空間６１には、開口部１２に相対する側（即ち、内面側）からロール紙５が挿入される。なお、本実施形態においては、ロール紙収容空間６１が略半円柱状に設けられているものであったが、これに限らず、角柱形状などロール紙５が収容できる空間であれば、本発明の目的に反しない限り、その形状は任意である。
【００３７】
ロール紙支持部６２は、ロール紙収容空間６１の左右方向の両端部に対向して位置する側壁６１ａの内側の面に、互いに向き合うようにして円錐状または半球状に突出して形成された一対の突起６３を有している。これら一対の突起６３は、互いの間にロール紙５のコア６を挟むことにより、ロール紙５を回動自在に支持する。即ち、ロール紙支持部６２は、ロール紙収容空間６１内でロール紙５を回動自在に支持する。ロール紙支持部６２の一対の突起６３は、カバー６０によって開口部１２が閉じられたときに、本体ケース１０の前面１１と同じ位置又は前面１１より外側に位置するように設けられていることが望ましい。このようにすることで、プリンタユニット２０及びプラテンローラ３０を開口部１２により近づけて配設することができる。
【００３８】
カバー軸部６４は、カバー６０の左右に位置する端部の下端に、左右方向に互いに離れるように突出された円柱状の一対の回動軸６５を有している。これら一対の回動軸６５は、本体ケース１０に設けられた一対のカバー軸受け部６９によって、回動自在に支持される。これにより、カバー６０は、カバー軸部６４を中心としてカバー６０の上縁が本体ケース１０に近づいたり離れたりするようにして、開口部１２を開閉する。
【００３９】
連結機構７０は、連結部材７１と、支持部材溝部７４と、カバー溝部７５と、を有している。
【００４０】
連結部材７１は、棒状に形成されており、本体ケース１０の内部に設けられた図示しない支持部によって、その長手方向を前後方向に沿うようにして、前後に移動自在に配されている。連結部材７１は、一端７１ａにその長手方向に直交する方向に向けて突出して形成された円筒状（又は円柱状）の連結突部７２と、他端７１ｂに該連結突部７２と同方向に向けて突出して形成された連結突部７２と同形状の連結突部７３と、が設けられている。
【００４１】
支持部材溝部７４は、支持部材４１の右側面に、上方から下方に向かうにしたがって前方から後方に延びるように形成された溝である。支持部材溝部７４には、上述した連結部材７１の連結突部７２が係合される。そして、連結突部７２は、プラテンローラ３０が離間位置にあるときに支持部材溝部７４の前方側端部に位置づけられ、プラテンローラ３０が近接位置にあるときに支持部材溝部７４の後方側端部に位置づけられ、支持部材溝部７４内を移動する。
【００４２】
カバー溝部７５は、右側に位置する側壁６１ａの外面から突出して互いに平行に配されたく字状の２本の突条７６、７７と、これら突条７６、７７の間の溝７８と、を有している。突条７６、７７は、それらの角を下方に向けて配されている。溝７８には、上述した連結突部７３が係合される。そして、連結突部７３は溝７８内を移動する。カバー溝部７５は、カバー６０が開口部１２に近づくにしたがって連結部材７１が前方から後方に移動するように、連結突部７３を本体ケース１０の奥に向けて押し込む形状に形成されている。
【００４３】
次に、上述したタクシーメータ１におけるロール紙５をセットするときの動作について説明する。
【００４４】
図５は、タクシーメータ１の開口部１２を開いた状態を示している。この状態においては、カバー６０の内側の面が上方を向いており、プラテンローラ３０が離間位置に位置づけられており、連結部材７１の連結突部７２が支持部材溝部７４の前方側端部に位置づけられている。まず、この状態でロール紙５を、カバー６０の内側からロール紙収容空間６１に挿入し、ロール紙５のコア６を一対の突起６３の間に挟んでロール紙支持部６２に取り付ける。次に、ロール紙５の始端部分８を、プリンタユニット２０の切り欠き部２１ａに挿入して、印字ヘッド２２とプラテンローラ３０との間を通す（図６）。それから、カバー６０を、カバー軸部６４を中心に開口部１２に近づけるように回動させる。すると、連結部材７１の連結突部７３がカバー溝部７５の溝７８内を移動して、カバー６０が開口部１２にある程度近づいた時点で、連結突部７３が突条７７によって奥に向かって押し込まれて、連結部材７１が前方から後方に向かって移動する。これにより、連結部材７１の連結突部７２が、支持部材溝部７４の前方側端部から後方側端部に向けて支持部材溝部７４内を移動して、これにともなって支持部材４１が下方から上方に向けて移動する（図７）。そして、カバー６０が開口部１２に重なって開口部１２が閉じられると、連結部材７１が最も奥まで押し込まれて、連結突部７２が支持部材溝部７４の後方側端部に到達し、プラテンローラ３０の爪部３４と維持部材５０の爪受け部５２とが係合して、プラテンローラ３０が近接位置に保持される。この時点でプラテンローラ３０とプリンタユニット２０との間にロール紙５の紙部７が挟持される。最後に、表示操作部１３の紙送り操作に対応した操作ボタン１５を押下して、プラテンローラ３０を回転させて、ロール紙５の紙部７の始端部分８を排出口１９から本体ケース１０の外部に排出する（図８）。このようにして、タクシーメータ１にロール紙をセットする。
【００４５】
また、図８は、タクシーメータ１の開口部１２を閉じた状態を示しており、この状態から開口部１２を開くときは、解除レバー５５を、前方上方に引き上げる。すると、維持部材５０のロックレバー５１が、図中時計回りに回動されて、爪部３４と爪受け部５２との係合が解除される。すると、重力によってプラテンローラ３０が上方から下方に移動し、連結部材７１の連結突部７２が、支持部材溝部７４の後方側端部から前方側端部に移動する。これにより、連結部材７１が後方から前方に向けて移動し、連結部材７１の連結突部７３によってカバー溝部７５の突条７７がカバー６０の内側から外側に向けて押されて、カバー６０が、カバー軸部６４を中心にして開口部１２から離れるように回動されて、開口部１２が開かれる。
【００４６】
以上より、本発明によれば、本体ケース１０の前面１１に設けられた開口部１２を開閉するカバー６０に、前記本体ケース１０の前面１１より外側に張り出すとともに前記開口部１２と相対する内面側からロール紙５が挿入されるロール紙収容空間６１と、前記ロール紙収容空間６１の両側壁６１ａに互いに対向して配された、前記ロール紙５のコア６を回転自在に支持するロール紙支持部６２と、前記カバー６０の下部に配されるとともに前記開口部１２の下縁近傍に軸支されて前記カバー６０を回動自在に前記本体ケース１０に取り付けるカバー軸部６４と、が設けられているので、ロール紙５を収容するための収容空間をケースの内部に設ける必要がなく、その分、プリンタユニット２０及びプラテンローラ３０を開口部１２近傍に配置することができ、そのため、プリンタユニット２０とプラテンローラ３０との間により容易にロール紙５の始端部分８を通すことができ、作業性を向上できる。また、カバー軸部６４を中心に開口部１２を開くようにカバー６０を回動させたときにカバー６０の内面が上方を向き、そのため、ロール紙収容空間６１が上方を向いて、そこに落とし込むようにしてロール紙５を挿入することができ、身をかがめて開口部をのぞき込むことなくロール紙収容空間６１に容易にロール紙５を装填でき、作業性を向上できる。
【００４７】
また、前記カバー６０の前記開口部１２を閉じる回動動作に連動して、前記移動機構４０が前記プラテンローラ３０を前記近接位置に移動させるように、前記カバー６０と前記支持部材４１とを連結する連結機構７０が設けられているので、この連結機構７０によって、カバー６０を回動させて開口部１２を閉じるのと同時に、プラテンローラ３０を近接位置に移動させてプラテンローラ３０とプリンタユニット２０との間隔を狭めてロール紙５を狭持させることができ、そのため、ロール紙５のセット作業において、手作業などによりプラテンローラ３０をプリンタユニット２０に近接させる作業工程を省略でき、作業性を向上できる。また、車載用情報機器の構成部品を外部に引き出すことなくロール紙５をセットできるので、簡素な構成となりコストを低く抑えることができるとともに、破損しにくくすることができる。
【００４８】
本実施形態において、移動機構４０は、プラテンローラ３０をプリンタユニット２０に対して上下方向に接離するものであったが、これに限らず、例えば、移動機構が一対のアームを備え、該一対のアームのそれぞれの基端が本体ケースの上方の内面に回動可能に取り付けられ、且つ、それぞれの先端の間に回転可能にプラテンローラを支持して、プラテンローラをスイング移動可能にするなど、プラテンローラを近接位置と離間位置とに亘って移動可能であれば、移動機構の構成は任意である。また、連結機構についても、例えば、上述した一対のアームとカバー６０とのそれぞれに回動可能に支持される連結棒を備えて、カバー６０の回動に応じて一対のアームをスイング移動して、プラテンローラを近接位置と離間位置とに移動させるようにするなど、カバーの開口部を閉じる回動動作に連動して移動機構がプラテンローラを近接位置に移動させるものであれば、連結機構の構成は任意である。
【００４９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５０】
１      タクシーメータ（車載用情報機器）
５      ロール紙
６      コア（芯）
７      紙部
８      始端部分
１０    本体ケース（ケース）
１１    前面
１２    開口部
２０    プリンタユニット
３０    プラテンローラ
４０    移動機構
４１    支持部材
４５    移動規制部材
５０    維持部材
５１    ロックレバー
５５    解除レバー
６０    カバー
６１    ロール紙収容空間
６２    ロール紙支持部
６４    カバー軸部
６９    カバー軸受け部
７０    連結機構
７１    連結部材
７４    支持部材溝部
７５    カバー溝部
【図１】
2010167731.tif 000003
【図２】
2010167731.tif 000004
【図３】
2010167731.tif 000005
【図４】
2010167731.tif 000006
【図５】
2010167731.tif 000007
【図６】
2010167731.tif 000008
【図７】
2010167731.tif 000009
【図８】
2010167731.tif 000010
【図９】
2010167731.tif 000011
【図１０】
2010167731.tif 000012